(57)【要約】例示的な実施形態は、インタネット・プロトコル・テレビ（ＩＰＴＶ）ネットワーク、およびその操作方法を提供する。例示的な実施形態方法は、移動局から、コンテンツおよび／または命令を含む信号を受信し、そのデータに基づいてＩＰＴＶコンテンツを提供することを含み得る。例示的な実施形態ネットワークは、ＩＰＴＶ命令および／またはコンテンツを含むデータを受信するように構成され、移動局から受信されたデータに基づいてＩＰＴＶデータを送信するように構成されたＩＰＴＶネットワークに接続されたインタフェースを含み得る。
2010532632.tif 000002
【特許請求の範囲】
【請求項１】
インタネット・プロトコル・テレビ（ＩＰＴＶ）ネットワークを操作する方法であって、
ＩＰＴＶネットワーク（１００）で、移動局からデータを受信するステップ（Ｓ１００）と、
前記データに基づいて、前記ＩＰＴＶネットワーク（１００）からＩＰＴＶコンテンツを送信するステップ（Ｓ１２０、Ｓ１１９）とを含む方法。
【請求項２】
前記ＩＰＴＶコンテンツを送信するステップが、前記データ内で識別されたエンドユーザ装置に前記ＩＰＴＶコンテンツを送信するステップを含み、前記エンドユーザ装置が、マルチメディア出力装置（３００）および移動局（２１０）のうちの少なくとも１つを含む、請求項１に記載の方法。
【請求項３】
前記ＩＰＴＶコンテンツが、前記データ内で識別された前記エンドユーザ装置上に表示され、実行されまたは再生されるようにフォーマットされ、前記ＩＰＴＶコンテンツが、テレビ番組、映画、インタネット・アクセスおよびブラウジング・アプリケーション、電話、ボイス・オーバー・インタネット・プロトコル通信、ビデオ通信、電子メール、ボイスメール、音楽、デジタル・ファイル転送およびスケジューリング情報のうちの少なくとも１つを含む、請求項２に記載の方法。
【請求項４】
前記データがユーザＩＤを含み、前記ＩＰＴＶネットワーク（１００）が、複数のユーザ特性（１７０）を格納するデータベースを含む、請求項１に記載の方法。
【請求項５】
前記ユーザＩＤが、前記複数のユーザ特性（１７０）のうちの少なくとも１つのユーザ特性に関連し、前記ＩＰＴＶコンテンツが、前記関連する少なくとも１つのユーザ特性に基づく、請求項４に記載の方法。
【請求項６】
前記複数のユーザ特性が、ユーザ・プレファレンス、ユーザ・スケジュール、ユーザ・サブスクリプションおよびユーザ履歴のうちの少なくとも１つを含む、請求項４に記載の方法。
【請求項７】
前記ＩＰＴＶネットワークで、前記送信されたＩＰＴＶコンテンツ内の選択を受信するステップ（Ｓ１２５、Ｓ１２４）と、
前記選択に基づいて、前記ＩＰＴＶネットワークからＩＰＴＶコンテンツを送信するステップ（Ｓ１２０、Ｓ１１９）と
をさらに含む、請求項１に記載の方法。
【請求項８】
前記データが、無線ネットワーク（２００）、インタネット（２０２）および公衆電話交換ネットワーク（２０１）のうちの少なくとも１つを介して前記移動局から間接的に受信される、請求項１に記載の方法。
【請求項９】
前記データがユーザ位置を含み、前記ＩＰＴＶコンテンツが前記位置に送信される、請求項１に記載の方法。
【請求項１０】
マルチメディア出力装置（３００）によってアクセス可能な複数のサービスを提供し、複数のユーザ特性、および複数のサービスの少なくとも一部を格納する少なくとも１つのデータベース（１７０、１８０）を含むＩＰＴＶミドルウェア（１１０）と、
前記ミドルウェアに通信可能に接続されており、移動局（２１０）によって直接に、または間接的に送信されたデータを無線で受信するように構成されたインタフェース（１５０）であって、前記ミドルウェアが、前記インタフェースを介して前記データを受信し、前記受信されたデータに基づいて前記複数のサービスのうちの少なくとも１つのサービスを提供するように構成される、インタフェース（１５０）と
を含む、インタネット・プロトコル・テレビ（ＩＰＴＶ）ネットワーク（１００）。
【発明の詳細な説明】
【技術分野】
【０００１】
本発明の例示的な実施形態は、一般には、インタネット・プロトコル・テレビ（ＩＰＴＶ：ｉｎｔｅｒｎｅｔ  ｐｒｏｔｏｃｏｌ  ｔｅｌｅｖｉｓｉｏｎ）ネットワーク、およびＩＰＴＶネットワークを制御する方法に関する。
【背景技術】
【０００２】
ＩＰＴＶネットワークは、電磁気またはケーブルベースの視聴覚コンテンツ送信を使用する従来のテレビとは対照的に、しばしばネットワーク基盤内でインタネット・プロトコルを使用して視聴覚コンテンツを送信する。ＩＰＴＶは、インタネット・アクセス、デジタル・ファイル転送、電子メール・アクセス、ボイス・オーバー・インタネット・プロトコルなど、インタネット・プロトコルに関連するサービス、ならびにオン・デマンドで入手可能な、格納されたマルチメディア・コンテンツを提供できる。ＩＰＴＶネットワークは、従来のテレビ放送と比較して、送信されるコンテンツの画像が大きくおよびオーディオ品質が向上したデジタル視聴覚コンテンツを提供することもできる。
【０００３】
図１に示されるように、関連技術のＩＰＴＶネットワークは、ユーザ入力に応答し、ユーザ入力に基づいてコンテンツを送信できる。関連技術のＩＰＴＶネットワークは一般に、テレビやモニタなどのマルチメディア視聴装置１０と同じ場所に配置された、遠隔の固定受信機２０からユーザ入力を受け取る。固定受信機２０は、ＩＰＴＶネットワーク４０から受け取られたＩＰＴＶコンテンツを出力装置１０に送信し、フォーマットし、または実行してもよい。また固定受信機２０は、固定受信機２０と通信するユーザからユーザ入力を受け取る。固定受信機と通信する関連技術の方法は、赤外線信号装置３０、および固定受信機２０上の入力キーパッドを使用することを含む。
【０００４】
ユーザ入力を提供する関連技術の方法は、赤外線信号装置３０として、限定された範囲の赤外線リモコンを使用する。これらのリモコンはしばしば、キーパッドに関連する英数字または記号情報と共にユーザが信号をＩＰＴＶ受信機に送信することを可能にするキーパッド・レイアウトを有する。リモコン３０は、この情報を受信機２０に送信してもよく、受信機２０は、リモコン３０からの信号を処理してもよく、また受信機２０は、信号に従ってコンテンツを提供するためにＩＰＴＶネットワーク４０と通信してもよい。関連技術のリモコンは、テレビやＤＶＤプレーヤーなどの出力装置１０を制御することもできる。受信機２０は一般に、限定された情報をリモコン３０に送信する。
【０００５】
関連技術のＩＰＴＶネットワーク、およびそれらのネットワークを操作する方法は、ＩＰＴＶネットワーク４０、および出力装置１０に提供されたコンテンツと通信し、それを操作するためにユーザが静止ＩＰＴＶ受信機２０の近くに、一般には数メートル内にいることを必要とする。関連技術のＩＰＴＶネットワークおよび方法はさらに、限定された情報がリモコン３０に送信可能なので、ユーザが別個の出力装置１０を介してほとんどすべてのＩＰＴＶコンテンツを視聴しまたは知覚することを可能にする。さらに、それぞれ異なる受信機２０は、それぞれ異なるリコモン３０で使用可能であり得るが、これらの固定受信機は、同じＩＰＴＶネットワークと通信する。
【発明の概要】
【課題を解決するための手段】
【０００６】
本発明の例示的な実施形態は、携帯電話からＩＰＴＶネットワークと通信し、携帯電話からの通信に基づいてＩＰＴＶネットワークからコンテンツを提供することを含むＩＰＴＶネットワークを操作する方法を対象とする。例示的な実施形態は、例示的な実施形態方法で使用可能なＩＰＴＶネットワークを提供することもできる。
【０００７】
本発明の例示的な実施形態は、後述された詳細な説明および添付の図面からより十分に理解される。図面では、同様の要素は、同じ参照符号によって表され、それらは、例示するためだけに示されており、したがって、本発明を限定するものではない。
【図面の簡単な説明】
【０００８】
【図１】関連技術のＩＰＴＶネットワークを示す図である。
【図２】例示的な実施形態のＩＰＴＶネットワークを示す図である。
【図３】ＩＰＴＶネットワークを操作する例示的な方法を示す図である。
【図４】ＩＰＴＶネットワークを操作する例示的な方法を示す図である。
【図５】移動装置を操作する例示的な方法を示す図である。
【発明を実施するための形態】
【０００９】
図２は、ＩＰＴＶネットワークを操作する例示的な方法で動作可能であるように構成された例示的な実施形態のＩＰＴＶネットワーク１００のブロック図である。図２に示されるように、例示的なＩＰＴＶネットワーク１００は、ＩＰＴＶネットワーク１００を移動局２１０に通信可能に接続し得るインタフェース１５０を含んでもよい。
【００１０】
インタフェース１５０は、様々な接続タイプおよび構成によって移動局２１０をＩＰＴＶネットワーク１００に通信可能に接続し得る。
【００１１】
たとえば、移動局２１０は、インタフェース１５０内の基地局インタフェース１５１を介してＩＰＴＶネットワーク１００に直接接続してもよい。この実施例では、移動局２１０は、１つまたは複数の既知の規格またはプロトコルを介して無線でＩＰＴＶネットワーク１００に通信可能に接続され得る。たとえば、ＣＤＭＡ、ＷｉＦｉ、ＧＳＭ、８０２．１１、赤外線、Ｂｌｕｅｔｏｏｔｈおよび／または任意の適切な無線通信が、移動局２１０を基地局インタフェース１５１に接続し得る。したがって、移動局２１０は、移動局インタフェース１５０から無線データを受信し、処理し、そこに送信することができる携帯電話、無線を備えたコンピュータ、無線を備えた携帯情報端末などであってよい。それに対応して、基地局インタフェース１５１は、無線で直接に移動局２１０からデータを受信し、処理し、そこに送信することができる基地局、無線受信機、および／またはＩＰＴＶネットワーク１００内の他の任意の受信装置であってよい。
【００１２】
あるいは、移動局２１０は、移動局２１０に通信可能に接続された無線ネットワーク２００を介してＩＰＴＶネットワーク１００に間接的に接続され得る。無線ネットワーク２００は、ＣＤＭＡ、ＷｉＦｉ、ＧＳＭ、８０２．１１、赤外線、Ｂｌｕｅｔｏｏｔｈ、および／または他の任意の適切な無線通信プロトコルを含めて、１つまたは複数の既知の規格またはプロトコルを介して無線で移動局２１０に通信可能に接続され得る。この場合もまた、移動局２１０は、携帯電話、無線を備えたコンピュータ、無線を備えた携帯情報端末、または無線ネットワーク２００からデータを受信し、処理し、そこに送信することができる他の任意の装置であってよい。無線ネットワーク２００は、たとえば、移動局２１０に無線サービスを提供する無線キャリア、移動局２１０が接続されており、または一要素である無線対応コンピュータのアドホック・ネットワーク、インタネット・サービス・プロバイダ、あるいは移動局２１０からデータを受信し、処理し、そこに送信することができる他の任意のネットワークであってよい。
【００１３】
この実施例では、無線ネットワーク２００は、インタフェース１５０を介して移動局２１０を最終的にＩＰＴＶネットワーク１００に通信可能に接続するために１つまたは複数の接続方法によってＩＰＴＶネットワークインタフェース１５０に通信可能に接続される。たとえば、無線ネットワーク２００は、ＩＰ方法を使用してインタネット２０２にアクセスし、インタネット２０２を介してＩＰ方法によって送信されたデータを送信し、受信し、処理することができるＩＰインタフェース１５２からデータを送信しかつ／または受信してもよい。あるいは、無線ネットワーク２００は、従来の公衆電話交換ネットワーク（ＰＴＳＮ：ｐｕｂｌｉｃ  ｔｅｌｅｐｈｏｎｅ  ｓｗｉｔｃｈｅｄ  ｎｅｔｗｏｒｋ）２０１を介して送信されたデータを送信し、受信し、処理することができるＰＴＳＮインタフェース１５３へのＰＴＳＮ  ２０１を介してＩＰＴＶネットワークインタフェース１５０に接続してもよい。
【００１４】
さらなる実施例として、無線ネットワーク２００は、インタフェース１５０を介してＩＰＴＶネットワーク１００に無線で通信可能に接続され得る。この実施例では、インタフェース１５０は、移動局であってよい移動局インタフェース１５４、無線受信機、および／または無線ネットワーク２００と無線で直接通信することができる他の任意のコンポーネントを含む。移動局インタフェース１５４は、無線ネットワーク２００への直接の無線接続を介して送信し、受信し、処理することができる。
【００１５】
インタフェース１５０はそれぞれ、個々のインタフェース１５１、１５２、１５３および１５４を含み、これらのインタフェースは、その実施例が上記に示された、述べられた複数の機構によって移動局２１０に通信可能に接続し得る。したがって、インタフェース１５０は、たとえば無線送信機および受信機、基地局、サーバ、交換機、ルータおよび電話線を含めて、個々のインタフェース１５１、１５２、１５３および１５４の多くの従来の特徴を含んでもよい。したがって、インタフェース１５０は、移動局２１０からのデータを直接に送受信することも、間接的に送受信することもできる。インタフェース１５０はさらに、受信され、または移動局２１０に送信されたデータを処理することができるプロセッサおよび／または他のインタフェース・ハードウェアを含んでもよい。たとえば、インタフェース１５０は、受信されたデータのタイプを識別し、制御装置／プロセッサ１１０が要求するやり方でデータ・タイプをフォーマットすることができるプロセッサおよびソフトウェアを含んでもよい。あるいは、たとえば、インタフェース１５０は、コンテンツ・フォーマッタからデータを受信し、適切な個々のインタフェース１５１、１５２、１５３および／または１５４を介してデータを適切に送信するためのハードウェアおよびソフトウェアを含んでもよい。
【００１６】
上記では、「データ」は、制御データとコンテンツ・データの両方を含めて、ＩＰＴＶネットワーク１００全体に渡って従来のやり方で送信される任意のタイプの情報を含んでよい。コンテンツ・データは、デジタル形式の映画およびテレビ；ｈｔｍｌなどのインタネット・コンテンツ、ストリーミング・コンテンツまたは電子メールメッセージ；音楽；ＳＭＳメッセージング；ボイスメール；および／またはＩＰＴＶネットワーク１００によって送信された視聴可能、実行可能または知覚可能な他の任意のタイプのコンテンツを含む。制御データは、たとえば、ＩＰと対話するためのｈｔｔｐ命令、ＩＰＴＶネットワークの制御装置／プロセッサ１１０への内部命令、スケジューリング情報、および／または移動局構成情報（ｆｏｒｍａｔｉｎｇ  ｉｎｆｏｒｍａｔｉｏｎ）や、移動局２１０と対話するための命令など、従来のＩＰＴＶネットワークでは一般に送信されない情報を含めて、ＩＰＴＶネットワーク１００の振舞いを直接または間接的に指示するすべての非コンテンツ・データを含んでよい。この一意の移動局データは、たとえば、移動局２１０の電話タイプまたは位置のデータを含んでもよく、このデータは、コンテンツまたは出力装置のフォーマティング（ｆｏｒｍａｔｔｉｎｇ）で使用するためにインタフェース１５０およびＩＰＴＶネットワーク１００に／から通信されてよい。
【００１７】
ＩＰＴＶネットワーク１００は、コンテンツ選択および指示、タスク優先順位付けおよびデータ処理など、ＩＰＴＶネットワーク１００の内部操作を制御する、たとえば中央制御装置／プロセッサ１１０（ＩＰＴＶミドルウェアとも呼ばれる）を含めた他の従来型ＩＰＴＶコンポーネントを含んでもよい。ＩＰＴＶネットワーク１００は、格納されたユーザ特性データベース１７０、ＩＰＴＶコンテンツ記憶装置１８０、および／または他のＩＰＴＶネットワークコンテンツおよび加入者コンポーネントを含んでもよい。ＩＰＴＶネットワーク１００は、出力装置３００に接続し、ＩＰＴＶコンテンツをそれに送信するための従来型ＩＰＴＶインタフェース１３０を含んでもよい。ＩＰＴＶネットワークは、ＩＰＴＶネットワークに外部コンテンツを供給するコンテンツ・プロバイダ４００に従来のやり方で接続され得る。
【００１８】
ＩＰＴＶネットワークは、移動局２１０、無線ネットワーク２００、および／または出力装置３００と互換が取れるように、ＩＰＴＶネットワークによって送信されたコンテンツを含むデータをフォーマットすることができる非従来型のコンテンツ・フォーマッタ１６０を含んでもよい。コンテンツ・フォーマッタ１６０は、制御装置１１０から、コンテンツと制御データの両方を伴うデータを受信し、制御データ内に含まれた宛先に基づいてコンテンツ・データおよび制御データをフォーマットしてもよい。
【００１９】
さらに、ＩＰＴＶネットワークミドルウェア１００によってアクセス可能な複数のユーザ特性を格納するデータベース１７０は、非従来型のユーザ・プレファレンス、サブスクリプション、保存されたコンテンツ、履歴、および／または他の任意のタイプのユーザ特性を含んでよい。制御装置／プロセッサ１１０は、ＩＰＴＶネットワークインタフェース１５０によって送受信されたデータと共に、適切に一致したユーザ特性および受信されたデータに基づいてコンテンツ・データを送信してもよい。
【００２０】
図３は、ＩＰＴＶネットワークを操作する例示的な方法のフローチャートである。図３に示されるように、ステップＳ１００で、ＩＰＴＶコンテンツを処理し送信することができ得るＩＰＴＶネットワークが、移動局からデータを受信する。データは、上記で定義されたようにコンテンツと制御データの両方、たとえば、デジタル・テレビ番組、デジタル音楽、電子メール・サーバと対話するためのｈｔｔｐ命令、ＩＰＴＶネットワークへの内部命令、スケジューリング情報、スケジューリング選択、コンテンツ・プレビュー、および移動局２１０と対話するための命令であってよい。しかし、ステップＳ１００で受信されたデータは主として、制御データであってもよく、かつ／またはＩＰＴＶネットワークに送信されたどんなコンテンツ・データも、アップリンク帯域幅を保存するために制限され、または圧縮されてよい。たとえば、あるタイプの電話ディスプレイ、および／または移動局の伝送プロトコルを含む制御データは、コンテンツのフォーマティング、出力方法の選択などで使用するために、ＩＰＴＶネットワークに通信されてよい。あるいは、たとえば、ボイスメールに共通の圧縮された音声データ、またはデジタル・ピクチャを含むコンテンツ・データは、コンテンツをフォーマットし、格納されたコンテンツまたはユーザ特性データベースに保存し、あるいはＩＰＴＶネットワークを介して別のユーザに送信する際に使用するためにＩＰＴＶネットワークに通信されてよい。
【００２１】
データは、移動局から直接受信されてもよいし、または移動局に送信されてもよく、次いでこの移動局は、この時点でデータを無線でまたは別のやり方でＩＰＴＶネットワークに送信する。無線通信は、任意の従来の形または従来の形の組合せの無線通信、たとえばＣＤＭＡ、ＷｉＦｉ、Ｂｌｕｅｔｏｏｔｈ、ＧＳＭ、赤外線および／または任意の適切な無線通信プロトコルであってよい。同様に、移動局は、従来の移動ネットワーク、たとえば、搬送波ネットワークに関連するセルラ電話の一部であってよい。
【００２２】
図３に示されるように、ＩＰＴＶネットワークは、ステップＳ１０２で、受信されたデータを処理する。ステップＳ１０２のデータ処理、およびデータを含む任意の通信媒体は、それが無線信号であれ、光ファイバ・パケットであれ、または類似物であれ、無線ネットワーク内でインタフェースによって実施できる。インタフェースは、受信すべきデータを含む入り信号を識別し、信号タイプ、通信プロトコル、および送信されたデータの他のメタデータを決定し、その通信媒体から適切に受信し、受信データを抽出する。
【００２３】
ステップＳ１０２で移動局からのデータが処理されると、ＩＰＴＶネットワークは、共配置された従来型受信機からのデータとＩＰＴＶネットワークが対話するやり方と同じようにデータと対話できる。たとえば、ステップＳ１０５に示されるように、ＩＰＴＶプロセッサ／制御装置（やはりこれも、ＩＰＴＶミドルウェアとも呼ばれることがある）は、受信されたデータに基づいて、適切なコンポーネントにアクセスする。たとえば、データは、インタネット・サイトの選択を示してもよく、ミドルウェアは、インタネット・プロトコルを介してサイトにアクセスしてもよい。あるいは、たとえば、データは、格納された特定のコンテンツを表示する命令を伴う制御データを含んでもよく、ミドルウェアは、格納されたコンテンツを伴うデータベースにアクセスしてもよい。したがって、ＩＰＴＶネットワークは、移動局から送信されたデータに基づいて、コンテンツおよび／または制御データにアクセスし、それを格納し、または別のやり方でそれと対話する。
【００２４】
ステップＳ１１０で示されたように、次いで、ＩＰＴＶネットワークは、受信されたデータに基づいて、コンテンツをどこに表示し、格納し、または送信すべきか決定する。たとえば、データは、データ内で識別された特定のテレビ、またはデータ内に含まれた関連するＩＰアドレスを有する特定のコンピュータにコンテンツを出力すべきことを示してもよい。あるいは、たとえば、受信された制御データは、データを含む無線信号を送信した携帯電話にコンテンツ・データを表示すべきことを示し得る。あるいは、受信された制御データは、特定のタイプの装置にだけ出力可能なコンテンツ・データを要求してもよく、この場合、ＩＰＴＶネットワークは、コンテンツ・データをどこにうまく出力し得るか内部的に決定し、コンテンツ・データをフォーマットし、その出力装置に送信する。
【００２５】
さらなる例示的な方法として、ステップＳ１００で受信されたデータは、データ発生源の位置に関する制御データを含んでよい。この位置は、無線ネットワークに接続された移動装置を突き止める任意の従来のプロセスを使用して決定できる。ＩＰＴＶネットワークは、移動局の位置に最も近い特定の出力装置にコンテンツを提供すること、および移動局位置のタイム・ゾーンで適切に表示されるようにタイムシフトされるコンテンツを提供することを含めて、この位置に基づいてＩＰＴＶコンテンツを提供し、この位置に基づいて、Ｓ１１０の出力装置を決定してもよい。たとえば、識別された家の位置に移動局がある場合、コンテンツは、その家のテレビに置かれてよい。
【００２６】
ステップＳ１１０でＩＰＴＶネットワークが、出力装置上に表示すべきコンテンツを決定する場合、コンテンツは、ステップＳ１１５で、テレビやモニタなどの出力装置用にフォーマットされる。
【００２７】
ステップＳ１２０に示されるように、次いで、フォーマットされたコンテンツは、一般にはインタネット・プロトコルおよび／または他の任意の従来型伝送手段を介して出力装置に送信され、従来の出力装置上でそれが表示され、実行され、または別のやり方で実施されてよい。
【００２８】
あるいは、ステップＳ１１０の決定は、コンテンツ・データを移動局上に表示すべきことを示してよい。たとえば、受信された制御データは、番組のスケジュール、または移動局上に示すべき番組のプレビューを要求してもよい。この場合、コンテンツ・データは、ステップＳ１１４で、適切な移動局用にフォーマットされる。ステップＳ１１０で移動局用に選ばれたコンテンツは、ステップＳ１２０で異なる出力装置に提供されるものとは異なるフォーマティングを要求してもよい。たとえば、テレビ番組のスクリーン・ショットまたテキスト要約だけをテキストのみの携帯情報端末に提供してもよく、ライブ・アクション番組は、テレビなどの出力装置に提供してもよい。このフォーマティングは、移動局の特徴および使用可能な無線帯域幅に依存し得る。一部の場合では、同じフォーマティングを有する同じコンテンツ・データを移動装置または出力装置に送信することが可能であり得る。たとえば、コンピュータやスクリーンを備えた携帯電話などの移動局は、ライブ・アクション番組を受信し、表示し、実行し、別のやり方で実施することが可能であり得る。
【００２９】
ステップＳ１１９に示されるように、次いで、移動局用にフォーマットされたコンテンツ・データは、移動装置に送信される。フォーマティングは、ＩＰＴＶネットワーク内の特定のフォーマッタ（ｆｏｒｍａｔｔｅｒ）によって達成することができ、あるいはインタフェースは、コンテンツをデータにフォーマットし、適切な送信方法を使用してそのデータを送信してもよい。送信は、たとえば、受信ステップＳ１００に詳述された任意の方法によるものであってよい。たとえば、ＩＰＴＶネットワークは、ＣＤＭＡを使用してそのインタフェースから移動ネットワークに無線でデータを提供してもよく、次いで、移動ネットワークは、フォーマットされたコンテンツを無線で移動局に送信してもよい。あるいは、たとえば、ＩＰＴＶネットワークは、フォーマットされたデータをインタフェースから移動局に無線で直接送信してもよい。あるいは、たとえばＩＰＴＶインタフェースは、電話線およびＰＴＳＮを介してデータを無線ネットワークに送信してもよく、次いで、無線ネットワークは、移動局にデータを送信する。
【００３０】
次いで、移動装置は、受信されたデータ、およびその中のコンテンツを表示し、実行し、または別のやり方で実施してもよい。たとえば、コンテンツは、電子メール・サーバから取り出された電子メールのリストであってもよく、次いで、この電子メール・リストは、リスト内の電子メールの表示、削除および／またはそれへの応答のために移動装置に送信される。
【００３１】
ステップＳ１２０で、テレビなど、ある装置に提供されたデータおよびＩＰＴＶコンテンツは、ステップＳ１１９で、移動電話など、第２の装置に提供されたデータおよびＩＰＴＶコンテンツとは異なってよい。このように、単一のユーザが、ある装置上でＩＰＴＶコンテンツを見、同じＩＰＴＶネットワークによって同時に提供された異なるＩＰＴＶコンテンツを第２の装置上でプレビューしてもよい。同様に、ユーザは、ある装置上では、あるタイプのＩＰＴＶコンテンツ、たとえば、インタネット・ブラウジングと対話し、第２の装置上では、異なるタイプのＩＰＴＶコンテンツ、たとえばデジタル音楽ストリーミングと対話してもよく、両方のＩＰＴＶコンテンツが同じＩＰＴＶネットワークによって提供される。
【００３２】
任意選択で、ステップＳ１２５およびＳ１２４に示されるように、ＩＰＴＶネットワークはさらに、それぞれステップＳ１２０またはＳ１１９で出力装置または移動局に提供されたコンテンツまたは制御データに応答して、移動局からデータを受信してもよい。このさらなるデータに基づいて、ＩＰＴＶネットワークは、新しいコンテンツにアクセスし、さらなるデータに基づいてステップ１０５〜１２０を繰り返してもよい。たとえば、ＩＰＴＶネットワークはさらに、電子メールを含むコンテンツを移動局に送信した後、電子メール・サーバから電子メールを削除するための信号を移動装置から受信してもよい。次いで、ＩＰＴＶネットワークは、ステップＳ１０５でインタネットにアクセスすることによって、信号によって示された電子メールを削除してもよい。このように、ユーザは、移動局を介して、様々なタイプのＩＰＴＶコンテンツと連続的に対話できる。
【００３３】
図４に示されるように、本発明の別の例示的な実施形態は、図３で論じられたのと同じステップのうちの多くを含んでよい。図４のＩＰＴＶネットワークを操作する例示的な方法は、さらなるステップＳ１６０、Ｓ１６５およびＳ１７０を含んでもよい。ステップＳ１６０で、移動局から受信された処理済みの制御データが一意のユーザＩＤを含むかどうか判断される。データがそうでない場合は、コンテンツは、図３に示された例示的な方法に従って、ステップＳ１０５でアクセスされ得る。
【００３４】
受信された制御データがユーザＩＤを含む場合、ステップＳ１６５で、ＩＰＴＶミドルウェアは、ユーザＩＤに関連する複数のユーザ特性を格納するデータベースにアクセスする。データベースは、サブスクリプション、含まれるＩＰＴＶサービス、お気に入り、スケジュール、プレファレンスおよび他の任意の個人ユーザ情報を含めて、個々のユーザに関する複数の情報を含み得る。この情報は、特定のユーザに関連付けられ、ユーザＩＤを含む信号が受信されるときにアクセスされる。
【００３５】
データのユーザＩＤに基づいてデータベースにアクセスすると、ステップＳ１７０で提供されるＩＰＴＶコンテンツは、データベース内のユーザ情報と、受信された制御データのコンテンツの両方に基づく。たとえば、データベースは、個々のユーザが使用できるサービスのリストを含んでもよい。特定のユーザＩＤで制御データが受信される場合、ＩＰＴＶネットワークは、コンテンツ・データとして、関連するデータベース・エントリ内のリストされたサービスだけを移動局または出力装置に提供してもよい。さらなる実施例として、データベースは、ユーザの移動装置に関する制御データを含んでもよい。特定のユーザＩＤで信号が受信される場合、ＩＰＴＶミドルウェアは、ＩＰＴＶコンテンツを含むコンテンツ・データを、携帯電話装置が必要とするフォーマットで携帯電話に送信してもよい。たとえば、ユーザの携帯電話は、テキストＩＰＴＶコンテンツだけをサポートすることがあり、ＩＰＴＶミドルウェアは、テキスト・コンテンツまたはＩＰＴＶコンテンツの要約だけを送信してもよい。
【００３６】
ＩＰＴＶネットワークを操作する例示的な実施形態方法によれば、ＩＰＴＶコンテンツは、複数の異なる出力装置および移動局に提供されてよい。出力装置と同じ場所に配置された中間の受信機は不要であり、ユーザは、移動局がＩＰＴＶネットワークに対して無線信号を送受信可能であるどこからでもＩＰＴＶネットワークにアクセスしてよい。
【００３７】
さらなる例示的な方法は、上述されたＩＰＴＶネットワークを操作する例示的方法と互換性がある移動装置でＩＰＴＶネットワークを操作することを含み得る。
【００３８】
図５に示されるように、移動装置は、無線ネットワークおよび／またはＩＰＴＶネットワークに無線で遠隔からデータを送信するために使用できる。ステップＳ３００で示されるように、データは、選択、命令、またはＩＰＴＶネットワークに関する情報を含んでもよい。データは、他の例示的な実施形態に述べられた送信に従って送信可能である。
【００３９】
ステップＳ３１０に示されるように、データは、ＩＰＴＶコンテンツをどこに送信すべきか示す。非移動体の出力装置、たとえばテレビやモニタ上にコンテンツを表示すべきとデータが示す場合、ＩＰＴＶコンテンツは、ステップＳ３１５で、ＩＰＴＶネットワークによって出力装置に送信される。
【００４０】
移動装置上にコンテンツを表示すべきとデータが示す場合、ＩＰＴＶコンテンツは、ステップＳ３２０で、移動装置用にフォーマットされ、移動装置に送信され、このステップで、移動装置は、ＩＰＴＶネットワークからコンテンツを受信する。コンテンツは、例示的な実施形態において上述された任意の送信方法を使用して電話に受信できる。
【００４１】
任意選択で、ステップＳ３３０で示されるように、送信されたコンテンツからの選択が行われ、ＩＰＴＶネットワークに返送され得る。次いで、移動装置は、ステップＳ３３０のその選択に基づいて、ステップＳ３４０で、第２のＩＰＴＶコンテンツを受信してもよい。
【００４２】
図５に示された例示的な方法に述べられたＩＰＴＶコンテンツの送受信は、たとえば、上述されたＩＰＴＶネットワークを操作する例示的な方法によって可能になり得る。すなわち、ステップＳ３００で送信された同じ信号およびデータは、図３および４のステップＳ１００で受信された信号およびデータであってよい。
【００４３】
本発明の例示的な実施形態について上記に述べているが、それは、多くのやり方で変更できることが明らかである。たとえば、上述されたＩＰＴＶコンテンツは、移動局上に表示され、実行され、または別のやり方で実施されるように修正することができる、ＩＰＴＶネットワークから使用可能な任意の範囲のサービスおよびコンテンツを含み得ることが理解されよう。
【００４４】
こうした変形形態は、本発明の例示的な実施形態の精神および範囲からの逸脱と見なすべきでなく、当業者には明らかなように、こうしたすべての修正は、本発明の範囲に含まれるものである。
【図１】
2010532632.tif 000003
【図２】
2010532632.tif 000004
【図３】
2010532632.tif 000005
【図４】
2010532632.tif 000006
【図５】
2010532632.tif 000007
【手続補正書】
【提出日】平成21年8月17日(2009.8.17)
【手続補正１】
【補正対象書類名】特許請求の範囲
【補正対象項目名】全文
【補正方法】変更
【補正の内容】
【特許請求の範囲】
【請求項１】
インタネット・プロトコル・テレビ（ＩＰＴＶ）ネットワークを操作する方法であって、
ＩＰＴＶネットワーク（１００）で、移動局（２１０）からデータを受信するステップ（Ｓ１００）と、
前記移動局（２１０）からのデータがマルチメディア出力装置（３００）を識別するかに基づいて、前記移動局から離れた前記マルチメディア出力装置（３００）へＩＰＴＶコンテンツを送信するかを決定するステップ（Ｓ１１０、Ｓ３１０）と、
前記データに基づいて、前記ＩＰＴＶネットワーク（１００）から、前記決定するステップ（Ｓ１１０、Ｓ３１０）に基づいて決定された前記マルチメディア装置（３００）または前記移動局（２１０）へ前記ＩＰＴＶコンテンツを送信するステップ（Ｓ１２０、Ｓ１１９）とを含む方法。
【請求項２】
前記ＩＰＴＶコンテンツを送信するステップが、前記データ内で識別されたエンドユーザ装置に前記ＩＰＴＶコンテンツを送信するステップを含み、前記エンドユーザ装置が、前記マルチメディア出力装置（３００）および前記移動局（２１０）のうちの少なくとも１つを含む、請求項１に記載の方法。
【請求項３】
前記ＩＰＴＶコンテンツが、前記データ内で識別された前記エンドユーザ装置上に表示され、実行されまたは再生されるようにフォーマットされ、前記ＩＰＴＶコンテンツが、テレビ番組、映画、インタネット・アクセスおよびブラウジング・アプリケーション、電話、ボイス・オーバー・インタネット・プロトコル通信、ビデオ通信、電子メール、ボイスメール、音楽、デジタル・ファイル転送およびスケジューリング情報のうちの少なくとも１つを含む、請求項２に記載の方法。
【請求項４】
前記データがユーザＩＤを含み、前記ＩＰＴＶネットワーク（１００）が、複数のユーザ特性（１７０）を格納するデータベースを含む、請求項１に記載の方法。
【請求項５】
前記ユーザＩＤが、前記複数のユーザ特性（１７０）のうちの少なくとも１つのユーザ特性に関連し、前記ＩＰＴＶコンテンツが、前記関連する少なくとも１つのユーザ特性に基づく、請求項４に記載の方法。
【請求項６】
前記複数のユーザ特性が、ユーザ・プレファレンス、ユーザ・スケジュール、ユーザ・サブスクリプションおよびユーザ履歴のうちの少なくとも１つを含む、請求項４に記載の方法。
【請求項７】
前記ＩＰＴＶネットワークで、前記送信されたＩＰＴＶコンテンツ内の選択を受信するステップ（Ｓ１２５、Ｓ１２４）と、
前記選択に基づいて、前記ＩＰＴＶネットワークからＩＰＴＶコンテンツを送信するステップ（Ｓ１２０、Ｓ１１９）と
をさらに含む、請求項１に記載の方法。
【請求項８】
前記データが、無線ネットワーク（２００）、インタネット（２０２）および公衆電話交換ネットワーク（２０１）のうちの少なくとも１つを介して前記移動局から間接的に受信される、請求項１に記載の方法。
【請求項９】
前記データがユーザ位置を含み、前記ＩＰＴＶコンテンツが前記位置のマルチメディア出力装置へ送信され、前記マルチメディア出力装置は前記移動局から離れている、請求項１に記載の方法。
【請求項１０】
インタネット・プロトコル・テレビ（ＩＰＴＶ）ネットワーク（１００）であって、
マルチメディア出力装置（３００）によってアクセス可能な複数のサービスを提供し、複数のユーザ特性と複数のサービスの少なくとも一部とを格納する少なくとも１つのデータベース（１７０、１８０）を含むＩＰＴＶミドルウェア（１１０）と、
移動局（２１０）によって直接又は間接的に送信されたデータを無線で受信するよう構成された、前記ミドルウェアに通信可能に接続されたインタフェース（１５０）とを含み、前記ミドルウェアが、前記インタフェースを介して前記データを受信し、前記移動局（２１０）から受信されたデータが前記マルチメディア出力装置（３００）を識別するかに基づいて、前記移動局から離れた前記マルチメディア出力装置（３００）へＩＰＴＶコンテンツを送信するかを決定し、そして、前記受信されたデータ及び前記決定に基づいて、複数のサービスのうちの少なくとも１つのサービスを決定された前記マルチメディア出力装置（３００）又は前記移動局（２１０）へ送信するように構成される、インタネット・プロトコル・テレビ（ＩＰＴＶ）ネットワーク（１００）。
【国際調査報告】
2010532632.tif 000008
2010532632.tif 000009
2010532632.tif 000010